(57)【要約】【課題】ヒータランプが破裂した場合にもガラスの破片が室内に落下せず、従って安全性の高い暖房装置を提供すること。【解決手段】暖房装置は、暖房すべき室の天井または壁面に取り付けられる灯具と、この灯具内に配置された棒状のヒータランプと、このヒータランプの下方において当該ヒータランプを取り囲むよう設けられ、上方に光を放出する樋状の凹面ミラーと、この凹面ミラーよりの光を反射して、当該室の灯具より下方の空間に向けて放射する放射ミラーとを備えてなる。凹面ミラーは楕円ミラーよりなり、ヒータランプが前記楕円ミラーの第１焦点の位置に配置されると共に、放射ミラーが前記楕円ミラーの第２焦点の位置に関して第１焦点の位置と反対側に配置されていることが好ましい。【選択図】    図３
2004176974.tif 000002
【特許請求の範囲】
【請求項１】
暖房すべき室の天井または壁面に取り付けられる灯具と、この灯具内に配置された棒状のヒータランプと、このヒータランプの下方において当該ヒータランプを取り囲むよう設けられ、上方に光を放出する樋状の凹面ミラーと、この凹面ミラーよりの光を反射して、当該室の灯具より下方の空間に向けて放射する放射ミラーとを備えてなることを特徴とする暖房装置。
【請求項２】
凹面ミラーは楕円ミラーよりなり、ヒータランプが前記楕円ミラーの第１焦点の位置に配置されると共に、放射ミラーが前記楕円ミラーの第２焦点の位置に関して第１焦点の位置と反対側に配置されていることを特徴とする請求項１に記載の暖房装置。
【請求項３】
ヒータランプおよび凹面ミラーから放出された光のうち、放射ミラーに直接入射されない光を受けて放射ミラーに向けて反射する補助ミラーが設けられていることを特徴とする請求項１または請求項２に記載の暖房装置。
【発明の詳細な説明】
【０００１】
【発明の属する技術分野】
本発明は、暖房すべき室の天井または壁面に取り付けられ、ヒータランプよりの熱線を含む光を放射することによって室内の暖房を行う暖房装置に関する。
【０００２】
【従来の技術】
現在、室内の暖房を行うために種々の暖房装置が使用されているが、気体または液体の燃料を燃焼させるストーブ、ファンヒーターなどの使用においては、室内の空気が汚染されるなどの問題がある。
このような問題のないものとして、電気エネルギーを利用する暖房装置も広く利用されており、例えば、両端封止型の白熱ランプよりなるヒータランプから放射される熱線を含む光を用いて暖房を行う装置などが知られている（例えば、特許文献１参照。）。
【０００３】
この暖房装置は、暖房されるべき室の天井や天井付近の壁面などに配置され、下方の室内空間に向けて光を放射することによって当該室の暖房を行うものである。
しかしながら、このような暖房装置においては、ヒータランプよりの放射光を、直接、室内空間に放射するように構成されているため、万一、白熱ランプが破裂した場合はガラスの破片が室内に落下して危険である、という問題がある。
【０００４】
【特許文献１】
特開平６−７４４６７号公報
【０００５】
【発明が解決しようとする課題】
本発明は以上のような事情に基づいてなされたものであって、その目的は、ヒータランプが破裂した場合にもガラスの破片が室内に落下せず、従って安全性の高い暖房装置を提供することにある。
【０００６】
【課題を解決するための手段】
本発明の暖房装置は、暖房すべき室の天井または壁面に取り付けられる灯具と、この灯具内に配置された棒状のヒータランプと、このヒータランプの下方において当該ヒータランプを取り囲むよう設けられ、上方に光を放出する樋状の凹面ミラーと、この凹面ミラーよりの光を反射して、当該室の灯具より下方の空間に向けて放射する放射ミラーとを備えてなることを特徴とする。
【０００７】
本発明の暖房装置においては、凹面ミラーは楕円ミラーよりなり、ヒータランプが前記楕円ミラーの第１焦点の位置に配置されると共に、放射ミラーが前記楕円ミラーの第２焦点の位置に関して第１焦点の位置と反対側に配置されていることが好ましい。
【０００８】
本発明の暖房装置においては、ヒータランプおよび凹面ミラーから放出された光のうち、放射ミラーに直接入射されない光を受けて放射ミラーに向けて反射する補助ミラーが設けられていることが好ましい。
【０００９】
【作用】
上記の構成によれば、ヒータランプの下方が、上方に開いた状態で湾曲する樋状の凹面ミラーにより覆われているために、このヒータランプが破損してもガラスの破片が凹面ミラーに収容されて室内に落下することがないので、高い安全性が得られる。
【００１０】
また、放射ミラーが、楕円ミラーの第１焦点の位置に位置するヒータランプと、第２焦点の位置に関して反対側に位置する構成によれば、一度集光したのちに拡散する光が放射ミラーに入射して反射するので、当該放射ミラーの過熱を防止することができると共に、暖房すべき室の広範囲にわたって光を放射することができ、確実に暖房効果を得ることができる。
【００１１】
また、補助ミラーが設けられてなる構成によれば、ヒータランプから放射された光を高い効率で室内に放射することができるために、高いエネルギー効率で暖房効果を得ることができると共に、灯具の内面への光の照射が防止されるために灯具の温度上昇が抑制され、この灯具を有する暖房装置が取り付けられた天井または天井近傍の壁面が熱されて火災の原因となることが防止される。
【００１２】
【発明の実施の形態】
以下、本発明について図面を参照して説明する。
＜第１の実施の形態＞
図１は、本発明の一実施例に係る暖房装置の構成の概略を示す説明用断面図である。
この例の暖房装置Ｓにおいては、灯具１０内に、棒状のヒータランプ１２と、このヒータランプ１２から放射される熱線を含む光を上方に放出するための光出射用開口１３を有する樋状の凹面ミラー１４と、この凹面ミラー１４よりの光を灯具１０より下方の空間に向けて放射する放射ミラー１６とが備えられている。
【００１３】
灯具１０は、箱型の筐体であり、具体的には、垂立する背板１０Ｃと、この背板１０Ｃの上辺から前方に伸びる上板１０Ａと、背板１０Ｃの下辺から前方に伸び、その長さが上板１０Ａよりも短い底板１０Ｂと、上板１０Ａの前縁から下方に伸びる短い前板１０Ｄと、左右に配置された右側板および左側板（図示せず）とにより一体的に構成されており、底板１０Ｂの前縁と前板１０Ｄの下辺との間の上方に向かうに従って前方に変位する前面傾斜面１０Ｅに光放射用開口１１が形成されており、この光放射用開口１１には金網が設けられている。
【００１４】
ヒータランプ１２は、棒状のハロゲン白熱電球よりなり、灯具１０内の下部において水平方向（図１において紙面に垂直な方向）に伸びる状態で、その両端が右側板および左側板にそれぞれ設置されたソケットに装着されている。
【００１５】
ヒータランプ１２を構成するハロゲン白熱電球は、例えば両端が封止されたガラス製の封体と、この封体内に配置されたフィラメントコイルとを備えるものであり、封体のガラス表面は、光が散光するようサンドブラスト加工がなされている。
このハロゲン白熱電球としては、例えば、定格電圧が１００Ｖ、消費電力が６００Ｗ、発熱長が４５０ｍｍのものが用いられる。
【００１６】
凹面ミラー１４は、ヒータランプ１２の下方を間隙を介して覆う状態でヒータランプ１２と平行な方向に伸びる、断面が楕円形の一部に沿った樋状の形状を有する楕円ミラーよりなり、その第１焦点Ｆ１  および第２焦点Ｆ２  が上方に向かうに従って前方に変位する光軸上に位置する状態とされており、灯具１０内の下部後方に位置する第１焦点Ｆ１  の位置にヒータランプ１２が配置されている。
【００１７】
この凹面ミラー１４は、第１焦点Ｆ１  および第２焦点Ｆ２  を結ぶ直線に垂直方向に伸びる平面上に、上方に光を放出する光出射用開口１３が形成されているものである。
【００１８】
放射ミラー１６は、下面が反射面とされた水平方向に伸びる平板状のミラーであり、凹面ミラー１４の第２焦点Ｆ２  の位置に関してヒータランプ１２の位置と反対側に、具体的には、灯具１０の上板１０Ａの下面に沿った前方位置に位置されている。
【００１９】
このような暖房装置Ｓは、図２に示すように、暖房すべき室Ｒの天井３２または天井３２近傍の壁面３６に取り付けられるものであり、例えば、灯具１０の上板１０Ａまたは背板１０Ｃに、天井または壁面に取り付けるための支持部材（図示省略）が設けられている。
また、灯具１０外には、ランプを点灯・消灯制御するスイッチを含む点灯装置（図示省略）が設けられている。
【００２０】
上記の暖房装置Ｓにおいて、点灯装置のスイッチを投入してヒータランプ１２が点灯されると、内部のフィラメントコイルが白熱し、これより赤外線による熱線を含む光が放射される。
【００２１】
ヒータランプ１２から放出される熱線を含む光は、直接あるいは凹面ミラー１４を介して光出射用開口１３から上方に放出され、この放出された光が放射ミラー１６に入射して反射され、図２に示されるように、灯具１０の光放射用開口１１から下方の室内空間に放射され、暖房が行われる。
【００２２】
そして、灯具１０が暖房すべき室Ｒ内の天井３２近傍の壁面３６に設置されているために、灯具１０の光放射用開口１１から下方の室内空間に放射された光がこの室Ｒ内の床面３４に照射されることにより、室Ｒ内において暖房効果が得られる。
【００２３】
而して、この暖房装置においては、ヒータランプ１２の下方が樋状の凹面ミラー１４により覆われているために、ヒータランプ１２が破損してもガラスの破片が凹面ミラー１４に収容されて室内に落下することがなく、従って、高い安全性を得ることができる。
【００２４】
また、放射ミラー１６が、凹面ミラー１４の第１焦点Ｆ１  の位置に位置するヒータランプ１２と、凹面ミラー１４の第２焦点Ｆ２  に関して反対側に位置するために、一度集光したのちに拡散する光が放射ミラー１６に入射して反射されるので、当該放射ミラー１６の過熱を防止することができると共に、暖房すべき室Ｒの広範囲にわたって暖房用の光を放射することができ、確実に暖房効果を得ることができる。
【００２５】
＜第２の実施の形態＞
図３は、本発明の他の実施例に係る暖房装置の構成の概略を示す説明用断面図である。
この例の暖房装置は、図１のものと基本的に同様の構成を有し、具体的には、灯具２０内に、図１のものと同様の棒状のヒータランプ２２と、このヒータランプ２２から放射される熱線を含む光を上方に放出するための光出射用開口２３を有する樋状の凹面ミラー２４と、この凹面ミラー２４よりの光を灯具２０より下方の空間に向けて放射する放射ミラー２６とが備えられている。そして、更に、放射ミラー２６に直接入射されない光、すなわち、灯具２０内の背板２０Ｃに向かう光Ｌ１  および灯具２０内の前方に向かう光Ｌ２  を、放射ミラー２６に向けて反射する後方補助ミラー２７および前方補助ミラー２８が設けられている。
２１は、放射ミラー２６よりの光を灯具２０外に放射するための光放出用開口である。
【００２６】
凹面ミラー２４は、例えば、第１の実施の形態に係る凹面ミラーにおいて、その前縁部分が除去されたものである他は、前記第１の実施の形態に係る凹面ミラーと同様のものである。
【００２７】
後方補助ミラー２７は、２つの平板状のミラーすなわち上部後方補助ミラー２７Ａと下部後方補助ミラー２７Ｂとにより構成されており、下部後方補助ミラー２７Ｂは、その下端縁が凹面ミラー２４の後縁（図において左端）に連接されて上方に伸びる状態とされていると共に、下部後方補助ミラー２７Ｂは、その上端縁が上部後方補助ミラー２７Ａの下端に連接され、前方に傾斜して伸び、放射ミラー２６の後端（図において左端）に連接された状態とされている。
【００２８】
また、前方補助ミラー２８は、平板状のミラーよりなり、凹面ミラー２４の前縁（図において右端）に連接して上方に伸びる状態とされている。
【００２９】
この例においては、ヒータランプ２２と放射ミラー２６との水平方向離間距離Ｄ２  が、第１の実施の形態における水平方向離間距離Ｄ１  よりも小さい状態とされている。
ここで、「離間距離」は、ヒータランプの中心軸を通る垂直面Ｍ１  と、放射ミラーの後端（図１および図３において左端）を通る垂直面Ｍ２  との間の距離である。
【００３０】
以上のように、ヒータランプ２２と放射ミラー２６との水平方向離間距離Ｄ２  が水平方向離間距離Ｄ１  よりも小さい状態とされることによって、灯具２０が小さいものとなる。
【００３１】
この例において、ヒータランプ２２から放射される熱線を含む光は、直接あるいは凹面ミラー２４を介して光出射用開口２３から上方に出射され、その一部が直接放射ミラー２６に入射され反射されて灯具２０の光放射用開口２１から下方の空間に向かって放射されると共に、他の一部が、上部後方補助ミラー２７Ａ、下部後方補助ミラー２７Ｂまたは前方補助ミラー２８を介して１回または２回以上反射されて放射ミラー２６に入射して反射されて灯具２０の光放射用開口２１から下方の空間に放射される。
【００３２】
このように、光出射用開口２３から直接放射ミラー２６に入射して反射される光に、上部後方補助ミラー２７Ａ、下部後方補助ミラー２７Ｂおよび前方補助ミラー２８よりなる補助ミラーを介して反射された光が重畳されて、放射ミラー２６を介して灯具２０の光放射用開口２１から下方に放射されるために、ヒータランプ２２から放射された光を高い効率で室内に放射して室内空間の加熱に供することができると共に、灯具２０の内面への光の照射が防止されるために灯具２０の温度上昇が抑制され、その結果、この灯具２０が取り付けられた天井または天井近傍の壁面が熱されて火災の原因となることが防止される。
【００３３】
以上、本発明の実施の形態について具体的に説明したが、本発明は、上記の例に限定されるものではなく、各部の具体的構成については種々の変更を加えることができる。
例えば、放射ミラーは、ヒータランプよりの光を入射させて反射させ、灯具より下方の空間に放射させるものであれば、平板状のミラーであることには限られず、例えば、凹面ミラーを用いたものでもよい。
【００３４】
また、放射ミラー、上部後方補助ミラー、下部後方補助ミラー、凹面ミラーおよび前方補助ミラーは、一体的に形成されたものであってもよく、それぞれが連接されていない独立した構成のものであってもよく、また、一部の複数のものが連接された構成のものであってもよい。
【００３５】
また、灯具の底板に、ヒータランプにより灯具内に生じた熱を室内に放出するためのファン（図示省略）が設けられた構成を有するものであってもよい。この場合には、ファンが設けられていることにより、暖房装置の各部材の過熱が防止されると共に、灯具内で暖められた空気が室内に放出されるので、一層高いエネルギー効率で暖房効果を得ることができる。
【００３６】
【発明の効果】
本発明の暖房装置によれば、ヒータランプの下方が、上方に開いた状態で湾曲する樋状の凹面ミラーにより覆われているために、このヒータランプが破損してもガラスの破片が凹面ミラーに収容されて室内に落下することがないので、高い安全性が得られる。
【００３７】
また、本発明の暖房装置によれば、放射ミラーが、楕円ミラーの第１焦点の位置に位置するヒータランプと、楕円ミラーの第２焦点の位置に関して反対側に位置する構成を有するために、放射ミラーには、一度集光したのちに拡散する光が入射して反射するので、当該放射ミラーの過熱を防止することができると共に、暖房すべき室の広範囲にわたって光を放射することができ、確実に暖房効果を得ることができる。
【００３８】
さらに、本発明の暖房装置によれば、補助ミラーが設けられてなる構成を有するために、ヒータランプから放射された光を高い効率で室内に放射することができるために、高いエネルギー効率で暖房効果を得ることができると共に、灯具の温度上昇が抑制され、この灯具を有する暖房装置が取り付けられた天井または天井近傍の壁面が熱されて火災の原因となることが防止される。
【図面の簡単な説明】
【図１】本発明の一実施例に係る暖房装置の構成の概略を示す説明用断面図である。
【図２】図１の暖房装置が室内に設置された状態を示す断面図である。
【図３】本発明の他の実施例に係る暖房装置の構成の概略を示す説明用断面図である。
【符号の説明】
１０    灯具
１０Ａ    上板
１０Ｂ  底板
１０Ｃ  背板
１０Ｄ  前板
１０Ｅ    前面傾斜面
１１    光放射用開口
１２    ヒータランプ
１３    光出射用開口
１４    凹面ミラー
１６    放射ミラー
Ｆ１      第１焦点
Ｆ２      第２焦点
２０    灯具
２０Ｃ    背板
２１    光放射用開口
２２    ヒータランプ
２３    光出射用開口
２４    凹面ミラー
２６    放射ミラー
２７    後方補助ミラー
２７Ａ    上部後方補助ミラー
２７Ｂ    下部後方補助ミラー
２８  前方補助ミラー
Ｌ１  、Ｌ２    光
Ｄ１  、Ｄ２      水平方向離間距離
Ｍ１  、Ｍ２      垂直面
Ｓ  暖房装置
Ｒ    室
３２    天井
３４    床面
３６  壁面
【図１】
2004176974.tif 000003
【図２】
2004176974.tif 000004
【図３】
2004176974.tif 000005